(57)【要約】【課題】枕の高さ調節を、煩雑な作業を伴わずに簡易に行うことができ、しかも頭部載置部分には、使用者が所望する各種の枕素材を適宜に採用可能な枕を提供する。【解決手段】枕本体１０を、枠部１１の内側下半部に基部１２を取付けた形状とし、その枠部１１内の上半部に形成された凹部１３に、厚さの異なる複数枚の内設マット３１，３２を重ねた形状の頭部載置部材３０を収容するようにし、また厚さの異なる複数枚の調整マット２１，２２を重ねて設けた高さ調整マットを、枕本体の下部に配置するとともに、その各調整マット２１，２２を、基部１２と同形状の芯部２１Ａ，２２Ａの周囲に耳部２１Ｂ，２２Ｂを設けた形状とする。【選択図】図２
0003121650.tif 000002
【実用新案登録請求の範囲】
【請求項１】
枕本体と、その枕本体の内部に収容される頭部載置部材と、枕本体の下部に配置される高さ調整マットとを備えた枕であって、前記枕本体を、その外周を形成する枠部の内側下半部に別体の基部を取付けた形状に設け、その枠部の内側上半部に形成された凹部に、厚さの異なる複数枚の内設マットを重ねて設けた頭部載置部材を収容するようにし、また前記高さ調整マットを、厚さの異なる複数枚の調整マットを重ねて設けるとともに、その各調整マットを、前記基部の平面形状と同形状に形成した芯部の周囲に耳部を設けて形成したことを特徴とする枕。
【請求項２】
上記した枕本体と頭部載置部材と高さ調整マットを、それぞれ低反発性ウレタンフォームで形成するとともに、枕本体の基部と高さ調整マットの各芯部が、ほぼ同一の柔軟性と弾力性を付与されたことを特徴とする請求項１に記載の枕。
【請求項３】
上記した頭部載置部材を、複数枚の内設マットを重ねて形成せずに、粒状または羽状または綿状の枕素材を袋体に詰めて形成したことを特徴とする請求項１に記載の枕。
【請求項４】
上記した枕本体の枠部を、その折り山が上部に位置する二つ折り形状に設けたことを特徴とする請求項１に記載の枕。
【考案の詳細な説明】
【技術分野】
【０００１】  本考案は、高さ調節を行うことができる枕に係るものであり、さらに詳しくは、使用者が所望する枕形成用の素材、例えば低反発性ウレタンフォーム、プラスチックチップ、羽毛、ソバガラ、モミガラ、パンヤ等（本考案では、これらを枕素材と総称する）を、その頭部載置部分に収容して使用することも可能とした枕に関するものである。
【背景技術】
【０００２】  一般的に、好適な枕の高さは使用者によってそれぞれ異なるので、従来から高さ調節のできる枕の開発が要請されており、その要請に応えるべく、以下のような枕が提案されている。すなわち、枕本体の内部に多数の粒体を収納し、その多数の粒体を用いて、枕の断面形状を変化させることによって高さを調節するようにしたものがある（例えば、特許文献１参照。）。また枕本体の下部に複数枚の高さ調整用プレートを配置し、その調整用プレートを適宜に取り除くことによって高さ調節をするようにした枕も開示されている（例えば、特許文献２参照。）。
【特許文献１】実開平７−３９６３８号公報
【特許文献２】特開２００５−５２２１０号公報
【考案の開示】
【考案が解決しようとする課題】
【０００３】  上記した特許文献１に記載された考案は、多数の粒体を集合させて盛り上げたり、または分散させて低くしたりする作業が非常に煩雑で、手間がかかるという不具合があり、また大略の高さ調節は可能であっても、例えば、あと５ｍｍ程度高く（または低く）するというような微調整を行うことが極めて困難であるという問題点があった。【０００４】  また特許文献２に記載された発明は、特許文献１の考案の問題点を解消し、枕の高さ調節を簡易且つ的確に行うことができるという利点はあるが、低反発性ウレタンフォームのみを用いて設けた枕本体を、構造および素材の変更ができない形状に形成し、使用者の所望に応じて、例えばプラスチックチップ、羽毛、ソバガラといったような他の枕素材に差し替えることが不可能な構造になっているので、消費者の多様なニーズに対応できないという大きな欠点があった。【０００５】  そこで本考案は、枕の高さ調節を、煩雑な作業を伴うことなく簡易に行うことができ、しかも頭部載置部分には、使用者が所望する各種の枕素材を適宜に採用可能に形成した枕の提供を目的とするものである。
【課題を解決するための手段】
【０００６】  上記の目的を達成するため、本考案は以下のような技術的手段を講じるものである。
すなわち請求項１に記載の本考案は、枕本体と、その枕本体の内部に収容される頭部載置部材と、枕本体の下部に配置される高さ調整マットとを備えた枕であって、前記枕本体を、その外周を形成する枠部の内側下半部に別体の基部を取付けた形状に設け、その枠部の内側上半部に形成された凹部に、厚さの異なる複数枚の内設マットを重ねて設けた頭部載置部材を収容するようにし、また前記高さ調整マットを、厚さの異なる複数枚の調整マットを重ねて設けるとともに、その各調整マットを、前記基部の平面形状と同形状に形成した芯部の周囲に耳部を設けて形成したことを特徴とするものである。【０００７】  また請求項２に記載の本考案は、請求項１に記載の枕において、その全体を低反発性ウレタンフォームで形成するとともに、枕本体の基部と高さ調整マットの各芯部が、ほぼ同一の柔軟性と弾力性を付与されたことを特徴とするものである。【０００８】  さらに請求項３に記載の本考案は、請求項１に記載の枕において、頭部載置部材を、複数枚の内設マットを用いて形成せずに、粒状または羽状または綿状の枕素材を袋体に詰めて形成したことを特徴とするものである。【０００９】  さらに請求項４に記載の本考案は、請求項１に記載の枕において、枕本体の枠部を、その折り山が上部に位置する二つ折り形状に設けたことを特徴とするものである。
【考案の効果】
【００１０】  本考案の枕は、枕本体の下部に配置した高さ調整マットを、厚さの薄い中間調整マットとその倍程度の厚さの下部調整マットを重ねた形状とし、その重ねたマットを適宜に抜き取ることによって、高さの調節をするようにしてあるので、高さの調節作業を簡単容易に行うことができるとともに、高い方から低い方へ段階的に調節できるようになっているので、微妙な高さの調整にも的確に対応することができるという大きな効果がある。また本考案は、枕本体の内側上半部に所望する枕素材で形成された頭部載置部材を収容することができるので、販売店の店頭などで素材毎に形成した多種類の枕を揃える必要性がなく、１種類の枕と素材毎に形成した頭部載置部材を組み合わせることで、消費者の多様なニーズに応えることができるという特筆すべき効果も奏するものである。さらに頭部載置部材を厚さの異なる複数枚の内設マットで形成した場合には、内設マットと枠部を同一の高さに設定したり、内設マットを枠部より下方位置に設定することができるので、使用者の好みに応じて、就寝時における頭部の載置位置を簡単容易に変更することができるという顕著な利点もある。なおまた本考案品は、その全体を低反発性ウレタンフォームで形成されており、特に枕本体の基部と高さ調整マットの芯部は適度な柔軟性と弾力性および通気性を有しているので、就寝時の寝心地を良好に維持することができるという長所がある。
【考案を実施するための最良の形態】
【００１１】  高さの低い方形箱状に設けた枕本体内に、所望の枕素材を用いて形成された頭部載置部材を収容するとともに、その枕本体の下方に、厚さの異なる複数枚の調整マットを配置して構成する。
【実施例１】
【００１２】  以下に、本考案の第１の実施例を図１乃至図５に基いて説明するが、本考案は、主として枕本体１０と高さ調整マット２０と頭部載置部材３０とにより構成され、その全体を低反発性ウレタンフォームで形成されたものである。この低反発性ウレタンフォームは、ポリウレタンを発泡させて製造されたもので、しっとりと重い感触と柔軟性を有し、且つ弾力性が高いために、ゆっくりと沈み込んでゆっくりと復元する特長があるので、枕素材として最適である。なお図１は本考案に成る枕の分解斜視図であり、図２は分解された各構成部材を組み立てて枕にした状態の斜視図である。また図３は枕本体１０の構造を示す断面図であり、図４は枕本体に頭部載置部材３０を収容した状態の一部切欠正面図である。さらに図５は、中間調整マット２１を例として、高さ調整マット２０の構造を示す断面図である。【００１３】  枕本体１０は、図１，図３に示すように、その全体形状が高さの低い長方形の箱状に形成されたものである。すなわち枕本体１０の外周を形成する枠部１１を、上下が開放された平面長方形のフレーム状に形成するとともに、そのフレームの上面部を円弧状に設けた形状とするものである。そして該枠部１１の内側下半部に、枠部１１の内側形状と同一形状に設けられた基部１２を取付け、その基部１２の上方に、頭部載置部材３０を収容するための凹部１３を設けて成るものである。この場合の基部１２は、枠部１１よりも大きな弾力性が付与されており、またその表面に粗面性を施すようにするとよい。【００１４】  また上記した枠部１１における上面部の円弧形状の形成手段としては、型枠を用いて形成する方法や、厚板状に設けた低反発性ウレタンフォーム材の上端部に半球状の縁部を固着する方法等の様々な手段があるが、本実施例では、図３および図４に示すように、適宜な厚さに形成した低反発性ウレタンフォーム材を二つ折り状にして双方の内側面同士を固着し、その折り山部分が上部となるように設定することによって、上面部を円弧状に形成するものである。【００１５】  高さ調整マット２０は、前記した枕本体１０の直下に配置される厚さの薄い２枚の調整マット（これを中間調整マット２１と称する）と、該中間調整マット２１の下方に配置され、且つその中間調整マット２１のほぼ倍程度の厚さを有する２枚の調整マット（これを下部調整マット２２と称する）を重ねて設けたものである。この中間調整マット２１と下部調整マット２２は、厚さのみが異なる同一状に形成されたもので、前記枕本体１０の基部１２と平面同一形状に設けた芯部２１Ａおよび芯部２２Ａの周囲に、図１，図５で示すような耳部２１Ｂおよび耳部２２Ｂを設けた形状となっている。この基部１２と芯部２１Ａと芯部２２Ａは、枕として組み立てられた場合に、その上面または下面が互いに着接しながら重ねられるもので、これらに付与される弾力性や表面の粗面状態を、同一状にするものとする。さらに本実施例における耳部２１Ｂおよび耳部２２Ｂは、枕本体１０の枠部１１よりもやや柔軟度が大きくなっている。なおこれらの耳部２１Ｂおよび耳部２２Ｂの幅は、前記枠部１１の幅と同一に設けてもよいが、高さ調節をする場合の抜き取りを容易とするために、枠部１１の幅よりも���や広幅状に形成してもよい。【００１６】  上記した中間調整マット２１および下部調整マット２２は、本実施例では各２枚ずつ使用するようになっているが、本考案で使用する調整マットの数は、各２枚ずつに限定するものではない。例えば中間調整マット２１と下部調整マット２２をそれぞれ１枚ずつ使用するようにしてもよく、また中間調整マット２１を２枚と下部調整マット２２を１枚使用するようにしても差し支えない。さらには中間調整マットと下部調整マットの間に、図示しない中央マットを介装し、各マットの厚さを直上のマットの厚さのほぼ倍程度に形成するとともに、その３種類のマットを各１枚ずつ使用することも可能である。【００１７】  頭部載置部材３０は、図１，図４に示すように、平面長方形状に形成された複数枚の内設マットを重ねて設けたものであるが、この場合に、上部に配置される厚さの薄い内設マット３１を２枚と、その上部配置用の内設マット３１のほぼ倍程度の厚さを有する下部配置用の内設マット３２を１枚使用するようになっており、その両マット間には、異なった柔軟性が付与されている。なお本実施例においては、上下の内設マット間の柔軟性に差異を設けているが、ほぼ同一状の柔軟性を付与しても差し支えなく、また上記した３枚の内設マットをそれぞれ異なった厚さに形成するとともに、それぞれに異なった柔軟性を付与することも可能であり、さらには内設マットを３枚に限定せずに、２枚または４枚使用するようにしてもよい。【００１８】  本実施例は、以上のように構成されるものであり、これらの構成部品を用いて枕を組み立てる場合は、図２に示すように、下部調整マット２２の上面に上調整部マット２１を載せ、その上部調整マット２１の上面に枕本体１０を載せ、さらに枕本体１０の凹部１３内に、下部配置用の内設マット３２と上部配置用の内設マット３１を順次収容して完了するものである。本考案は、このような手順で枕を形成した後、その全体をカバー体４０で被覆して使用に供するようになっている。【００１９】  なお枕本体１０の基部１２と高さ調整マット２０の芯部２１Ａ，２２Ａは、厚さのみが異なる平面同一状に形成され、且つ同一の粗面状に設けられているので、就寝時において各部材の積層状態が崩れるようなことがなく、また枕内部の通気性も維持できるように配慮されている。【００２０】  本実施例で提供される枕は、その高さがもっとも高い状態に設定されているので、枕の高さを低くしたい場合は、以下のような方法で行えば、枕の高さを段階的に低くすることができるようになっている。すなわち中間調整マット２１を１枚のみ抜き取る場合は、高さの調整度すなわち枕を低くする度合いが最も小さい場合であり、続いて下部調整マット２２を１枚抜き取る場合、中間調整マット２１の１枚と下部調整マット２２の１枚を併せて抜き取る場合というように、枕が順次低くなっていき、最後に高さ調整マット２０をすべて取り除いてしまえば、枕の高さが枕本体の高さと同一になるようになっている。【００２１】  さらに、本実施例で提供される頭部載置部材３０（すなわち内設マット３１，３２）は、枠部１１と同一平面状に設けられているので、就寝時の頭部の載置位置を枠部１１より下方に設けたい場合は���上記した高さ調整マット２０の場合と同様に、内設マット３１，３２の一方または両方を適宜に取り除くことにより、所望する高さに調節することができるようになっている。【００２２】  次に、図６を参照して、本考案の第２の実施例を説明する。この実施例における枕本体１０と高さ調整マット２０については実施例１と同一の構成であるが、頭部載置部材３０のみは、低反発性ウレタンフォーム製の内設マット３１，３２を使用せずに、粒状（チップ状を含む）のプラスチックチップやソバガラまたはモミガラ、羽状の羽毛、綿状のパンヤ等の各種枕素材が、使用者の所望に応じて選択使用されるようになっている。なお図においては、従来から広く愛用されているソバガラを使用する場合を例示しており、そのソバガラを袋体３３に詰めて枕本体１０の凹部１３に収容した状態を示している。この場合に、ソバガラの上部に実施例１で使用した上部配置用の内設マット３１を載せるようにしてもよく、またソバガラ等に備長炭や小豆、木の実などを混入するようにしてもよい。なお枕本体１０や高さ調整マット２０の構造についての説明は、重複するので省略する。
【図面の簡単な説明】
【００２３】
【図１】本考案の実施例１の枕を示す分解斜視図である。
【図２】図１の枕を組み立てた状態の斜視図である。
【図３】枕本体の断面図である。
【図４】枕本体に内設マットを収容した状態の一部切欠正面図である。
【図５】高さ調整マットの断面図である。
【図６】本考案の実施例２における枕本体内の構造を示す断面図である。
【符号の説明】
【００２４】    １０  枕本体
１１  枠部
１２  基部
１３  凹部
２０  高さ調整マット
２１  中間調整マット
２２  下部調整マット
２１Ａ，２２Ａ  芯部
２１Ｂ，２２Ｂ  耳部
３０  頭部載置部材
３１  上部配置用の内設マット
３２  下部配置用の内設マット
【図１】
0003121650.tif 000003
【図２】
0003121650.tif 000004
【図３】
0003121650.tif 000005
【図４】
0003121650.tif 000006
【図５】
0003121650.tif 000007
【図６】
0003121650.tif 000008